(57)【特許請求の範囲】
【請求項１】
光源を含む灯具と；
上記光源に給電する点灯回路および無線により信号を受信する信号受信部を収容した金属製の筐体を有する器具本体と；
上記器具本体の中心軸に対して偏心した位置に設けられ、上記器具本体に隙間を介して上記灯具を連結し、上記灯具を上記器具本体に対して回動可能に支持した連結部材と；
上記中心軸に対して上記連結部材の反対側で上記隙間に対向して上記器具本体の上記筐体に設けられ、上記信号受信部に対向する窓孔と；
を有する照明器具。
【請求項２】
上記信号受信部の少なくとも一部が上記窓孔に重なる、
請求項１の照明器具。
【請求項３】
上記信号受信部が上記窓孔の内側に配置される、
請求項２の照明器具。
【請求項４】
上記器具本体の上記窓孔は、上記光源からの光を上記灯具から射出する方向に開口している、
請求項１の照明器具。
【請求項５】
上記灯具は、上記窓孔に対向する複数の放熱フィンを有する、
請求項１の照明器具。
【請求項６】
上記器具本体は、上記筐体の内側に、上記信号受信部を上記隙間に近付けて配置するため上記隙間に向けて凹んだ凹部を備えた樹脂ケースを有する、
請求項１の照明器具。
【発明の詳細な説明】
【技術分野】
【０００１】
本発明の実施形態は、例えば、ライティングダクトに取り付けられるスポットライトなどの照明器具に関する。
【背景技術】
【０００２】
従来、部屋の天井に設置したライティングダクトに取り付ける照明器具として、送信機からの無線信号による遠隔操作が可能な照明器具が知られている。
【０００３】
無線信号を受信する受信部は、電力供給および通信の観点から、電源回路と一体あるいは近接して配置される。つまり、受信部は、電源回路を収容配置した電源ケースに設けられる。
【先行技術文献】
【特許文献】
【０００４】
【特許文献１】特開２０１２−１７４５４８号公報
【発明の概要】
【発明が解決しようとする課題】
【０００５】
電源回路を収容配置した電源ケースは、発火などに対する安全性を確保するため、金属により形成される。このため、この電源ケースに受信部を設ける場合、無線信号を受信可能とするため、例えば、電源ケースの外側に受信部を露出して取り付ける必要がある。この場合、照明器具の美観が損なわれてしまう。
【０００６】
一方、受信部を外部に露出しないで受信感度を保った状態で電源ケースに受信部を設ける別の方法として、電源ケースを信号透過性を有する樹脂により形成する方法が考えられる。しかし、電源ケースを樹脂により形成すると、発火などに対する安全性を確保できなくなる可能性がある。
【０００７】
よって、安全性を確保した上で無線信号の受信感度を良好にできる照明器具の開発が望まれている。
【課題を解決するための手段】
【０００８】
実施形態に係る照明器具は、光源を含む灯具と；光源に給電する点灯回路および無線により信号を受信する信号受信部を収容した金属製の筐体を有する器具本体と；器具本体の中心軸に対して偏心した位置に設けられ、器具本体に隙間を介して灯具を連結し、灯具を器具本体に対して回動可能に支持した連結部材と；中心軸に対して連結部材の反対側で隙間に対向して器具本体の筐体に設けられ、信号受信部に対向する窓孔と；を有する。
【発明の効果】
【０００９】
本発明の照明器具によれば、光源に給電する点灯回路を収容した器具本体を金属により形成したため、発火などに対する安全性を確保することができる。また、本発明によると、信号受信部を収容した器具本体の筐体の信号受信部に対向する位置に窓孔を設けたため、無線信号の受信感度を良好にできる。
【図面の簡単な説明】
【００１０】
【図１】図１は、実施形態に係る照明器具を示す斜視図である。
【図２】図２は、図１の照明器具の灯具を電源ケースに対して９０°回動させた状態を示す正面図である。
【図３】図３は、図１の照明器具のアームを備えた電源ケースを灯具側から見た斜視図である。
【図４】図４は、図１の照明器具のアームを示す斜視図である。
【図５】図５は、図１の照明器具をＦ５−Ｆ５に沿って見た断面斜視図である。
【図６】図６は、図４のアームの取付位置について説明するため電源ケースおよび灯具の一部を破断した概略図である。
【図７】図７は、図１の照明器具の灯具を電源ケース側から見た平面図である。
【発明を実施するための形態】
【００１１】
以下、図面を参照しながら実施形態について詳細に説明する。  
図１は、照明器具の一例であるスポットライト１００の外観斜視図である。図２は、スポットライト１００の電源ケース２（器具本体）に対して灯具４を図１の姿勢から９０°回動させた状態を示す正面図である。
【００１２】
このスポットライト１００は、灯具４を電源ケース２に対して同軸に配置した図１に示す状態で、略円柱状の外観を有する。スポットライト１００は、略円柱状の電源ケース２と略円柱状の灯具４を有する。スポットライト１００は、電源ケース２の下にアーム３（連結部材）を介して灯具４を同軸に連結した構造を有し、灯具４を電源ケース２に対して回動可能としている。本実施形態では、電源ケース２の外径と灯具４の外径を同じ外径に設計した。
【００１３】
また、スポットライト１００は、電源ケース２の中心軸Ｃ１（図２参照）に沿った一端（図示上端）を図示しないライティングダクトに着脱可能に取り付けるためのプラグ１を有する。プラグ１は、周知技術であるため、ここではその詳細な説明を省略する。プラグ１は、スポットライト１００をライティングダクトに対して機械的および電気的に接続する。
【００１４】
一般に、ライティングダクトは、部屋の天井に取り付けられる。或いは、稀に、ライティングダクトは、部屋の壁に取り付けられる。以下の説明では、ライティングダクトを部屋の天井に取り付けたものとする。つまり、ここでは、スポットライト１００は、プラグ１をライティングダクトに取り付けた状態で、部屋の天井から下方に垂設されるものとする。この場合、スポットライト１００の中心軸Ｃ（すなわち、電源ケース２の中心軸Ｃ１）が鉛直方向に沿い、灯具４が電源ケース２の鉛直下方に一定の隙間Ｓを介して配置される。
【００１５】
スポットライト１００は、灯具４を電源ケース２に対して回動可能に連結したアーム３を有する。図３は、アーム３を備えた電源ケース２を灯具４側から見た斜視図であり、図４は、アーム３の拡大図である。アーム３は、スポットライト１００の中心軸Ｃから離れて中心軸Ｃから偏心した位置に設けられている。
【００１６】
アーム３の電源ケース２側の一端は、図３に示すように、電源ケース２の中心軸Ｃ１と平行な第１回動軸Ｃ３を中心に灯具４を第１回動方向に回動させることができるように、電源ケース２の底壁２ａに取り付けられている。アーム３の灯具４側の他端は、電源ケース２の中心軸Ｃ１と直交する第２回動軸Ｃ４（図４参照）を中心に灯具４を第２回動方向に回動させることができるように、灯具４の放熱フィン５に取り付けられている（図１参照）。つまり、このアーム３は、第１回動方向と第２回動方向の組み合わせにより、電源ケース２に対して灯具４をあらゆる方向に自由に回動可能に連結する。
【００１７】
図５は、図１のスポットライト１００を中心軸Ｃに沿ってＦ５−Ｆ５で切断した断面斜視図である。以下、この図５も参照しながら、スポットライト１００の各部の構造および機能についてより詳細に説明する。
【００１８】
プラグ１は、ライティングダクトの図示しない溝に嵌め込まれて、電源ケース２の中心軸Ｃ１を中心に略９０°回動され、電源ケース２をライティングダクトに取り付ける。プラグ１をライティングダクトから取り外す際には、電源ケース２を逆方向に回動させる。
【００１９】
プラグ１は、電源ケース２（すなわち、スポットライト１００）を図示しないライティングダクトに対して機械的に連結するとともに、電源ケース２内に配設された電源基板６１や制御基板６２などの点灯回路６０（図５参照）をライティングダクトに電気的に接続する。プラグ１は、電源ケース２と図示しない電極を絶縁するため、樹脂により形成されている。
【００２０】
電源ケース２は、中心軸Ｃ１に沿った一端に上述したプラグ１を備えているとともに、中心軸Ｃ１に沿った他端に円板状の底壁２ａを備えている。電源ケース２の内部には、上述した点灯回路６０の他に、外部機器との間で無線通信を行うための後述する無線モジュール１０（信号受信部）が設けられている。電源ケース２は、アルミニウムやアルミニウム合金などの金属により形成されている。
【００２１】
金属製の底壁２ａは、アーム３の後述する円形の回動板３１ａを回動可能に受け入れる円形の貫通した遊嵌孔２ｂ（図３参照）を備えている。遊嵌孔２ｂは、底壁２ａの中心から偏心した位置に設けられている。つまり、アーム３は、図３に示すように、電源ケース２の中心軸Ｃ１に対して偏心した位置に取り付けられる。見方を変えると、アーム３は、灯具４の中心軸Ｃ２に対しても偏心した位置に取り付けられる。
【００２２】
電源ケース２の内部には、有底円筒形状の樹脂ケース２２が収容配置されている。樹脂ケース２２は、電源ケース２の内径より一回り小さな外径を有する。つまり、両者の間には、僅かな厚みの空気の層が設けられている。また、樹脂ケース２２の底壁２２ａと電源ケース２の底壁２ａとの間には、部分的に空間が空けられている。
【００２３】
樹脂ケース２２の底壁２２ａには、上述した空間に無線モジュール１０を落とし込むように底壁２ａに向けて凹んだスロット２２ｂが設けられている。このスロット２２ｂ内に無線モジュール１０を収容配置することで、無線モジュール１０を底壁２ａに近付けて配置することができる。
【００２４】
一方、電源ケース２の底壁２ａには、無線モジュール１０に対向する窓孔７０（図３、図５参照）が底壁２ａを貫通して設けられている。本実施形態では、窓孔７０は、無線モジュール１０がスロット２２ｂの底に対向する端面１０ａを囲う大きさを有する。しかし、窓孔７０は、無線モジュール１０の端面１０ａの少なくとも一部に対向する大きさであればよく、その形状も矩形に限らない。
【００２５】
また、樹脂ケース２２の中央には、点灯回路６０の電源基板６１と制御基板６２の間に配置された隔壁２２ｃが設けられている。隔壁２２ｃの下端は底壁２２ａから一体に立ち上げられている。隔壁２２ｃは、電源ケース２の中心軸Ｃ１に沿って樹脂ケース２２内の空間を２等分する位置に設けられている。すなわち、アーム３が中心軸Ｃ１から偏心して取り付けられた側に電源基板６１が配置され、反対側に制御基板６２が配置されるように、隔壁２２ｃは、第２回動軸Ｃ４と平行に延設されている。
【００２６】
なお、樹脂ケース２２の底壁２２ａには、２枚の基板６１、６２の下端をそれぞれ受け入れる溝が形成されている。２つの溝（図５では一方のみ図示）は、基板６１、６２の下端を挟んで互いに平行で且つ互いに離間して延びた２本のガイドレール６４の間に形成されている。また、樹脂ケース２２の底壁２２ａには、後述するケーブルを挿通するための貫通孔２２ｄが設けられている。
【００２７】
灯具４は、図５に示すように、ＬＥＤ光源４１を実装した基板４２、レンズ４３、配光部材４４などを有する。灯具４の電源ケース２から離間した端部（図示下端）には、レンズ４３の光射出面４３ａが露出している。ＬＥＤ光源４１から発光されて配光部材４４およびレンズ４３を介して伝えられた光は、光射出面４３ａを介して照明光として射出される。
【００２８】
ＬＥＤ光源４１を実装した基板４２は、灯具４の筐体４０の中心にある取付面４０ａに密着して取り付けられる。基板４２と取付面４０ａの間には熱伝導率の高い接着剤などを介在させても良い。また、基板４２は、筐体４０の取付面４０ａにネジ留め固定されることが望ましい。筐体４０は、アルミニウムやアルミニウム合金などの金属により形成されている。
【００２９】
また、灯具４は、複数枚の板状の放熱フィン５を備えている。複数枚の放熱フィン５は、灯具４の筐体４０と一体に設けられる。複数の放熱フィン５は、レンズ４３の光射出面４３ａと反対の電源ケース２側に設けられ、灯具４の中心軸Ｃ２に沿って互いに平行に延出している。そして、複数の放熱フィン５のうち、フィンの並び方向の両端以外の内側の放熱フィン５の１つにアーム３の他端が固定される。本実施形態では、５枚ある放熱フィン５の中央の放熱フィン５０にアーム３を接続した。
【００３０】
図３および図４に示すように、アーム３は、電源ケース２側に取り付ける連結片３１、および灯具４側に取り付ける固定ブロック３２を有する。アーム３は、アルミニウムやアルミニウム合金などの金属により形成されている。固定ブロック３２は、第２回動軸Ｃ４を中心に連結片３１に対して第２回動方向に回動可能に連結される。
【００３１】
連結片３１は、上述した回動板３１ａ、円筒部分３１ｂ、および板状部分３１ｃを一体に有する。円筒部分３１ｂは、回動板３１ａの第１回動軸Ｃ３に沿った一端側に同軸且つ一体に設けられている。板状部分３１ｃは、回動板３１ａの第１回動軸Ｃ３に沿った他端側に一体に設けられている。図３に示す状態で、円筒部分３１ｂは、電源ケース２の内部に配置される。
【００３２】
板状部分３１ｃは、回動板３１ａの中心軸Ｃ３から偏心して設けられている。このため、円筒部分３１ｂの貫通孔３１ｄの灯具４側の端部は、板状部分３１ｃに干渉しない位置で開口している。この貫通孔３１ｄには、電源ケース２内に配置した点灯回路６０と灯具４内に配置した基板４２をつなぐ給電のための図示しない配線が挿通配置される。
【００３３】
板状部分３１ｃの灯具４側の端部には、図示しない回動軸を挿通するための軸孔３１ｅが設けられている。この軸孔３１ｅは、板状部分３１ｃを貫通して第２回動軸Ｃ４方向に延びている。つまり、この軸孔３１ｅは、回動板３１ａの第１回動軸Ｃ３と直交する方向に板状部分３１ｃを貫通している。
【００３４】
固定ブロック３２は、上述した連結片３１の板状部分３１ｃの第１回動軸Ｃ３側の面に重ねて配置される。つまり、固定ブロック３２は、板状部分３１ｃが回動板３１ａの第１回動軸Ｃ３に対して偏心した側と反対の面に重ねて配置される。固定ブロック３２は、中央の放熱フィン５０の一部として機能する。
【００３５】
固定ブロック３２は、板状部分３１ｃと重なる中央部分３２ａおよび中央部分３２ａを間に挟んだ両側にある２つの固定部分３２ｂ、３２ｂを一体に有する。つまり、固定ブロック３２は、連結片３１の板状部分３１ｃの長手方向と交差する方向にクロスして延びている。
【００３６】
固定ブロック３２の中央部分３２ａは、板状部分３１ｃの軸孔３１ｅに同軸に重なる軸孔３２ｃを有する。また中央部分３２ａは、この軸孔３２ｃに連通する凹所３２ｄを有する。凹所３２ｄは、板状部分３１ｃから離間した側に設けられている。さらに、中央部分３２ａは、固定ブロック３２を放熱フィン５の取付凹所５ａ（図６参照）に対して位置決めするためのＶ字面３２ｅを有する。
【００３７】
中央部分３２ａを挟む２つの固定部分３２ｂ、３２ｂは、中央部分３２ａに対して対称な構造を有する。各固定部分３２ｂは、固定ブロック３２を放熱フィン５の取付凹所５ａに固定するためのネジ（図示せず）を挿通するためのネジ孔３２ｆ（図５参照）をそれぞれ有する。各ネジ孔３２ｆは、軸Ｃ３と平行な方向に延びている。
【００３８】
図６は、アーム３の取付方法および取付位置について説明するため、電源ケース２および灯具４の一部を破断した概略図である。まず、アーム３の取付方法について説明する。
【００３９】
アーム３の上端を電源ケース２に取り付ける場合、連結片３１の円筒部分３１ｂを底壁２ａの遊嵌孔２ｂに通して回動板３１ａを遊嵌孔２ｂに嵌合する。この後、連結片３１の円筒部分３１ｂに抜け止めリング３３を取り付ける。これにより、連結片３１の底壁２ａに対する脱落が防止される。遊嵌孔２ｂは回動板３１ａよりわずかに大きな径を有するため、回動板３１ａが遊嵌孔２ｂに対して回動可能となる。
【００４０】
上記のように底壁２ａの遊嵌孔２ｂに連結片３１を取り付けた後、底壁２ａを電源ケース２の他端に取り付ける。なお、連結片３１の他端には、予め固定ブロック３２を取り付けておく。この際、連結片３１の板状部分３１ｃの軸孔３１ｅと固定ブロック３２の軸孔３２ｃを同軸に重ね、これら２つの重ねられた軸孔３１ｅ、３２ｃに図示しない回動軸を挿通して取り付ける。回動軸は、連結片３１に対して固定ブロック３２を第２回動方向に回動可能に接続する。
【００４１】
そして、アーム３の他端を灯具４に取り付ける場合、連結片３１の板状部分３１ｃに対して回動可能に連結された固定ブロック３２を放熱フィン５の取付凹所５ａに嵌合する。このとき、固定ブロック３２の中央部分３２ａの下面側に設けたＶ字面３２ｅを取付凹所５ａのＶ字溝５ｂに嵌合し、固定ブロック３２を取付凹所５ａに位置決めする。さらに、固定ブロック３２の各固定部分３２ｂに設けたネジ孔３２ｆに図示しないネジを挿通し、取付凹所５ａの底に設けたネジ孔５ｃに螺合する。
【００４２】
本実施形態では、上記のように同軸に重ねたネジ孔３２ｆ、５ｃにネジを挿通して螺合することで、固定ブロック３２を放熱フィン５０の取付凹所５ａに締結固定したが、これに限らず、例えば、固定ブロック３２の貫通孔（ネジ孔３２ｆの代りに設ける）を通したピン（図示せず）を放熱フィン５０の取付孔（ネジ孔５ｃの代りに設ける）に圧入することで、固定ブロック３２（すなわちアーム３の他端）を放熱フィン５０に固定しても良い。いずれにしても、放熱フィン５０に設ける取付孔は、放熱フィン５の延出方向に沿って延びた孔とする。
【００４３】
次に、アームの取付位置について説明する。  
本実施形態のように、円柱状の電源ケース２の下方に隙間Ｓを介して円柱状の灯具４を取り付けて、灯具４を電源ケース２に対して回動可能とする場合、仮に、アーム３をスポットライト１００の中心軸Ｃ上に配置してしまうと、隙間Ｓを比較的大きくとる必要がある。具体的には、アーム３を中心軸Ｃ上に設けて灯具４を電源ケース２に対して第２回動方向に９０°回動させるためには、少なくとも、隙間Ｓの大きさをスポットライト１００の半径より大きくする必要があり、外観が悪くなる。
【００４４】
このため、本実施形態では、隙間Ｓを小さくして外観を良くするため、スポットライト１００の中心軸Ｃから偏心した位置にアーム３を設けた。アーム３を隙間Ｓに配置することで、スポットライト１００の外側からアーム３を見え難くすることができ、外観を良くすることができる。
【００４５】
なお、本実施形態では、アーム３の板状部分３１ｃを回動板３１ａに対して偏心して設け、且つ円筒部分３１ｂの開口側で固定ブロック３２を板状部分３１ｃに重ねている。このため、円筒部分３１ｂの貫通孔３１ｄを通る図示しない配線が固定ブロック３２の凹所３２ｄ内を通り、配線をスポットライト１００の外側から見え難くすることができる。
【００４６】
理想的には、アーム３をスポットライト１００の外周面の近くに配置することで、隙間Ｓを殆どゼロにすることができる。しかし、本実施形態のように、灯具４の放熱フィン５０にアーム３を取り付けるためには、灯具４の外周面から中心軸Ｃに向けて内側に離間した位置にアーム３の回動軸Ｃ４を設ける必要がある。つまり、上記のように回動軸Ｃ４の両側で２本のネジを用いて固定ブロック３２を放熱フィン５０に固定する構成で、十分な機械強度を確保するためには、回動軸Ｃ４を灯具４の外周面から内側に所定距離だけ離間した位置にレイアウトする必要がある。
【００４７】
十分な機械強度を確保できる、灯具４の外周面から回動軸Ｃ４までの距離をＤ１とした場合、回動軸Ｃ４から固定ブロック３２の外周面側の上端角部３２ｇまでの距離Ｄ２はＤ１より大きくなる。灯具４を回動させる場合、固定ブロック３２の上端角部３２ｇが電源ケース２に対して最も干渉し易いことから、この距離Ｄ２が、回動軸Ｃ４から電源ケース２の下端（底壁２ａ）までの距離Ｄ３より少なくとも小さければ良いことになる。つまり、Ｄ１＜Ｄ２＜Ｄ３の関係が成り立つ最少の隙間Ｓに設定することで、スポットライト１００の外観を良くすることができ、意匠性を高めることができる。
【００４８】
次に、無線モジュール１０のレイアウト、このレイアウトに基づく効果、および上述した窓孔７０の機能について説明する。  
図７は、灯具４を電源ケース２側から見た平面図であり、灯具４を電源ケース２に対して同軸に配置した場合（図１の状態）における、灯具４に対する無線モジュール１０の対向位置を破線で示してある。電源ケース２の底壁２ａに設けた窓孔７０もこの位置で灯具４に対向する。
【００４９】
無線モジュール１０は、図５および図７に示すように、スポットライト１００の中心軸Ｃに対して、アーム３の反対側に設けられている。また、無線モジュール１０は、上述したスロット２２ｂ内に配置することで、電源ケース２の底壁２ａに近付けて配置されている。言い換えると、無線モジュール１０は、電源ケース２と灯具４との間の隙間Ｓに近接対向して、アームから離間した側にレイアウトされている。
【００５０】
また、無線モジュール１０と隙間Ｓの間に介在する樹脂ケース２２の底壁２２ａが樹脂により形成され、且つ無線モジュール１０に対向する底壁２ａの位置に窓孔７０が設けられている。このため、無線モジュール１０は、窓孔７０を介して電波を受信でき、無線信号を良好に受信できる。
【００５１】
さらに、無線モジュール１０および窓孔７０は、図１に示すように灯具４を電源ケース２に対して同軸に配置した状態で、図７に示すように、灯具４の中央の放熱フィン５０に対向する。言い換えると、無線モジュール１０は、部分的に放熱フィン５０に重なり、少なくとも一部が、放熱フィンの間の空間に対向する。放熱フィン５の間の空間を介して電波が無線モジュール１０に届く。
【００５２】
以上のように、本実施形態によると、灯具４を電源ケース２に対して同軸に配置した図１の状態で、スポットライト１００を遠隔操作するリモコンなどの外部機器と無線モジュール１０との間で信号を送受信する場合、放熱フィン５の間の空間および窓孔７０を介して電波が無線モジュール１０に届くことになり、無線モジュール１０による無線信号の受信感度を良好にすることができる。
【００５３】
特に、図２に示すように灯具４を電源ケース２に対して大きく回動させた状態では、無線信号の受信感度を高くすることができる。少なくとも、図１に示す状態から灯具４をわずかでも回動させれば、受信感度を高めることができる。
【００５４】
つまり、本実施形態のスポットライト１００のように、偏心したアーム３を介して灯具４を電源ケース２に対して回動可能に連結した構造において、無線モジュール１０をアームから離間させた側に配置したレイアウトを採用することにより、無線信号の受信感度を良好にできることになる。
【００５５】
また、本実施形態によると、電源基板６１を含む点灯回路６０を収容配置した電源ケース２をアルミニウム合金などの金属により形成したため、発火などに対する安全性を確保することができる。
【００５６】
また、本実施形態によると、プラグ１および電源ケース２の中心軸Ｃ１と灯具４の中心軸Ｃ２を一直線に重ねた図１の状態で、プラグ１の中心、電源ケース２の中心、および灯具４の中心がスポットライト１００の中心軸Ｃ上に配置される。また、本実施形態では、電源ケース２の外径と灯具４の外径を同じに設計した。このため、図１の状態にしたスポットライト１００は、円柱状の外観を示し、意匠性に優れたものである。
【００５７】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【００５８】
例えば、上述した実施形態では、無線モジュール１０の端面１０ａよりひとまわり大きい矩形の窓孔７０を電源ケース２の底壁２ａに設けた場合について説明したが、これに限らず、窓孔７０は、無線モジュール１０の端面１０ａの少なくとも一部に重なる大きさおよび形状であれば良い。
【００５９】
また、上述した実施形態では、無線モジュール１０を別体でスロット２２ｂ内に収容配置した場合について説明したが、これに限らず、例えば、無線モジュール１０を制御基板６２に取り付けても良い。この場合、無線モジュール１０を制御基板６２の下端側に配置することが望ましい。いずれにしても、無線モジュール１０は、樹脂ケース２２の隔壁２２ｃより制御基板６２側の空間に設けることで、アーム３から離間してレイアウトすることができる。
【００６０】
本実施形態において放熱フィン５が平行に並ぶ方向と直交するように無線モジュール１０の基板を配設した形態での説明を行ったが、平行に並ぶ放熱フィン５と無線モジュール１０の基板が平行関係に配設されてもよく、また、放熱フィン５が放射状に形成されているなど、フィンの形状は限定されるものではない。
以下、本願の出願当初の特許請求の範囲に記載された発明を付記する。
［１］
光源を含む灯具と；
上記光源に給電する点灯回路および無線により信号を受信する信号受信部を収容した金属製の筐体を有する器具本体と；
上記器具本体に隙間を介して上記灯具を連結し、上記灯具を上記器具本体に対して回動可能に支持した連結部材と；
上記器具本体の上記筐体に設けられ、上記信号受信部に対向する窓孔と；
を有する照明器具。
［２］
上記信号受信部の少なくとも一部が上記窓孔に重なる、
［１］の照明器具。
［３］
上記信号受信部が上記窓孔の内側に配置される、
［２］の照明器具。
［４］
上記器具本体の上記窓孔は、上記隙間に対向して配置される、
［１］の照明器具。
［５］
上記器具本体の上記窓孔は、上記光源からの光を上記灯具から射出する方向に開口している、
［１］の照明器具。
［６］
上記灯具は、上記窓孔に対向する複数の放熱フィンを有する、
［４］の照明器具。
【符号の説明】
【００６１】
１…プラグ、２…電源ケース、２ａ…底壁、３…アーム、４…灯具、５、５０…放熱フィン、１０…無線モジュール、２２…樹脂ケース、２２ａ…底壁、２２ｂ…スロット、２２ｃ…隔壁、３１…連結片、３２…固定ブロック、４０…筐体、４０ａ…取付面、４１…ＬＥＤ光源、４２…基板、６０…点灯回路、６１…電源基板、６２…制御基板、７０…窓孔、１００…スポットライト。
【図１】
0006578825.tif 000002
【図２】
0006578825.tif 000003
【図３】
0006578825.tif 000004
【図４】
0006578825.tif 000005
【図５】
0006578825.tif 000006
【図６】
0006578825.tif 000007
【図７】
0006578825.tif 000008